(57)【要約】      （修正有）【課題】狭い場所でも、大人も子供も一緒に遊べて、手指の感覚訓練をも図ることができる遊具を提供する。【解決手段】ウエイトと、発射片と、載置架台と、円筒状容器とを用いる。ウエイトは、球状又は円柱状の重量がある頭部と、頭部と一体化した棒状の細い竿からなる。発射片は細長三角形状である。載置架台は、発射片より幅も長さも大きい三角形状である。円筒状容器は、的としても収納容器としても用いられる。【選択図】図５
0003164137.tif 000002
【実用新案登録請求の範囲】
【請求項１】
ウエイト（飛翔体）を梃子の原理を用いて遠方に発射する逆三角形状発射台を設け、当該発射台の下方に位置する逆三角形の一端に、ウエイトを載置し当該逆三角形発射台の上方に位置する他端を指等で速さを加減しながら下方に押すことで、梃子の原理が作用し、ウエイトを前方上方に撥ね飛ばすことを目的とした逆三角形状ウエイト発射台。
【請求項２】
請求項１に記載した逆三角形状発射台の発射角度と発射高さ位置を自在に調節できるよう当該逆三角形状発射台を載置するために、逆三角形状発射台載置装置を逆三角形発射台の下側位置に設けてなる、ウエイト発射角度と発射高さ位置を自在に調節できる三角形状発射台載置装置。
【請求項３】
請求項１に記載のウエイト（飛翔体）を発射した時、ウエイトの飛翔軌跡が弧を描く形で目的位置まで飛ぶように、重量の重い頭部と重量の軽い枝部分（突起物）から構成された、ウエイト（飛翔体）。
【請求項４】
発射遊具の収納容器は、請求項１に記載のウエイト（飛翔体）の収納とウエイトの的を兼ねる。
【考案の詳細な説明】
【技術分野】
【０００１】  本考案は、梃子の原理を応用して、ウエイト（飛翔体）を撥ね飛ばし、目的場所又は容器に命中させることを目的とした、ひとり又は多人数で的中率を競う遊具に関するものである
【背景技術】
【０００２】  昔から子供の遊具としてある市販のおはじき、ピ−玉等の他に、未完熟で落下した柿の実を棒の先に差し遠心力を利用し、腕のみでは到達のできない遠方まで飛ばすことのできる遊びがあった。
【先行技術文献】
【考案の概要】
【考案が解決しょうとする課題】
【０００３】  現在の住宅環境生活環境において、家庭内でも職場でも手軽に簡単にしかも狭い場所でも遊び心を満たしてくれる昔の心に通じる、大人も子供も一緒に遊べる遊具を提供することにある。
【課題を解決するための手段】
【０００４】  本考案は、ウエイト（飛翔体）を弾き出すために、梃子の力を発生させるように、逆三角形状のウエイト発射台を設け、当該発射台の一端に、飛翔時に弧を描いて飛べるように形状を工夫したウエイト（飛翔体）載置し、当該発射台の上方に位置する他端を指等で簡単に下方に押しやる動作で、当該ウエイトを前方上方に弾き出す構成とし、且つ、ウエイトの発射角度と発射高さ位置を自在に調節できる、三角形状発射台載置装置を設けることで、遊具としての目的を解決している。
【考案の効果】
【０００５】  上述のように、本考案のウエイト発射遊具は、弾き出す目的方向にこを描いて飛ぶように形状を工夫されたウエイト（飛翔体）と加える力の加減で飛距離に大きく差の出る梃子の原理を利用した逆三角形状発射台と、飛翔角度と発射高さを自在に選べる三角形状発射台載置装置からなる構成にしたことで、遊具で遊ぶ人其々の指の感覚、発射高さの選択で、ウエイトを目的位置まで飛ばす距離に微妙な差が生じ、遊具としての興味、面白さが倍加する新規な遊具である。
【０００６】  ウエイト（飛翔体）本体の形状は、飛翔時に弧を描くようになすため、たとえば球体又は異球体の頭部を設けこの頭部の部分から棒状の丸又は多角形の枝を突出させもって、重量のバランスを枝状突起部よりも頭部を重くし、当該ウエイトを弾き飛ばす目的で設けて逆三角形状発射台の跳ね上がり部分に載置するに当たり、発射台の跳ね上がり部の先端位置側に棒状の枝部を置き発射台の支店部に近い方にウエイトの頭部を載置することで、当該ウエイトが飛翔方向に弧を描きながら安定した姿で弾き出される構成形状とし、且つウエイト（飛翔体）の弾き出される飛翔角度と発射高さを遊具で遊ぶ人が自由に選択できるよう、逆三角形状発射台の下位置に、三角形状発射台載置装置の斜面上の自由位置で三角形状発射台を移動停止させ持って、ウエイトを発射することのできる形態装置。
【実施例】
【０００７】  以下、添付図面に従って一実例を説明する。
図１は、ウエイト（飛翔体）である。
▲１▼は、ウエイト頭部を示す。
▲２▼は、頭部より付き出した棒状の枝である。【０００８】  図２は、逆三角形状発射台で
▲３▼は、下端接地部頂点で梃子の支点となる。
▲４▼は、待機時ウエイトを載置する場所で先端部にウエイトの棒状枝部が載置される。
▲５▼は、ウエイトを弾き出すために指等で下方に押しやる場所である。【０００９】  図３は、三角形状発射台載置装置で、
▲６▼は、逆三角形状発射台を載置する斜面下方先端部を示す。
▲７▼は、逆三角形状発射台を載置する斜面上方終端部を示す。
▲８▼は、底部を示す。【００１０】  図４は、▲９▼のウエイトの的とウエイト発射遊具の収納容器を示す。【００１１】  図５は、ウエイト発射遊具を用いて遊んでいる状態図を示す。【００１２】  本考案の一実例は、上述の如き構成からなるのあるから、ウエイト（飛翔体）は、逆三角形状発射台の発射台を発射されると同時に、頭部を支点にしながら弧を描き前方上方に飛翔し、前方設置の的に向かう。同時にウエイトの発射台は、その下方位置に設けられた三角形状発射台載置装置に形成された傾斜部で、ウエイトの発射高さを自由に設定でき、結果飛翔距離を自在にコントロ−ルして遊べるウエイト発射遊具を現出している。
【符号の説明】▲１▼は、ウエイト頭部を示す。
▲２▼は、頭部より付き出した棒状の枝である。
▲３▼は、下端接地部頂点で梃子の支点となる。
▲４▼は、待機時ウエイトを載置する場所で先端部にウエイトの棒状枝部が載置される。
▲５▼は、ウエイトを弾き出すために指等で下方に押しやる場所
▲６▼は、逆三角形状発射台を載置する斜面下方先端部を示す。
▲７▼は、逆三角形状発射台を載置する斜面上方終端部を示す。
▲８▼は、底部を示す。
▲９▼は、ウエイトの的とウエイト発射遊具の収納容器を示す。
【図１】
0003164137.tif 000003
【図２】
0003164137.tif 000004
【図３】
0003164137.tif 000005
【図４】
0003164137.tif 000006
【図５】
0003164137.tif 000007
【手続補正書】
【提出日】平成22年3月16日(2010.3.16)
【手続補正１】
【補正対象書類名】実用新案登録請求の範囲
【補正対象項目名】全文
【補正方法】変更
【補正の内容】
【実用新案登録請求の範囲】
【請求項１】
ウエイトを梃子の原理を用いて、遠方に飛ばすために細長三角形状発射片を設け、この発射片の上辺一端側にウエイトの頭部を安定して乗せることのできる場所に乗せて、三角形の頂点を支点として、もう一端作用点側を指で力を加減して押すとウエイトを前上方に飛ばすことができるウエイトと同じ程度の長さをもつ細長三角形状発射片。
【請求項２】
請求項１に記載の発射片を載置する三角形状の長い斜辺と垂辺と底辺の三辺からなる載置架台を設け、この斜辺に発射片を置いて発射片を指で押さえるとウエイトを安定的に前上方へ飛ばすことができる発射片より幅も長さも大きい三角形状載置架台。
【請求項３】
請求項２に記載の載置架台に置いた発射片の上辺一端側にウエイトの頭部を乗せ、これが円弧を描き前上方へ飛ぶように、バランスを考えた球状又は円柱状の重量のある頭部と同頭部と一体化して突き出した棒状の細い竿状のものからなり、棒状竿を載置架台の最下端の留り部分に置き、発射片の作用側を指で押さえることによって飛ぶアメンボウ状のウエイト。
【請求項４】
前項に記した載置架台へ発射片を置き、ウエイトを乗せて飛ばし前方に設置された円筒状容器に何本入れることができるかを競う遊具の一つとしての円筒状の収納容器。
又、ウエイト数本及び発射片も収納できる的をも兼ねた円筒状の収納容器。
【手続補正２】
【補正対象書類名】明細書
【補正対象項目名】全文
【補正方法】変更
【補正の内容】
【考案の詳細な説明】
【技術分野】
【０００１】本考案は、梃子の原理を応用して、ウエイトを跳ね飛ばし目的の場所又は容器に入れることを目的とした、一人又は多人数で的中率を競う遊具に関するものである。
【背景技術】
【０００２】昔から子供の遊具としてある市販のおはじき、ビー玉等の他に、未完熟で落下した柿の実を棒の先に刺し遠心力を利用し、腕のみでは到達できない遠方まで飛ばすことのできる遊びがあった。
【先行技術文献】
【考案の概要】
【考案が解決しょうとする課題】
【０００３】現在の住宅環境、生活環境において、家庭内でも職場でも手軽に簡単に、しかも狭い場所でも遊び心を満たしてくれる、昔の心に通じる、大人も子供も一緒に遊べて手指の感覚訓練をも図ることのできる遊具を提供することにある。
【課題を解決するための手段】
【０００４】本考案は、ウエイトを跳ね飛ばすために、細長三角形状ウエイト発射片だけでは、上方、又は指で押さえる作用点側へ飛ぶ、これを前上方へ飛ばすために三角形状斜辺と垂辺と底辺からなる載置架台を設け、この斜辺へ発射片を置くことで発射片が斜めになり、発射片の作用点側を押すとウエイト頭部は円弧を描いて前方へ飛ぶようになる。
【考案の効果】
【０００５】上述のように、本考案ウエイト発射遊具は、跳ね飛ばす目的方向に孤を描き安定した飛び状態を得るよう工夫されたウエイトと加える力で飛ぶ距離に大きな差のでる梃子の原理を利用した三角形状発射片により飛ぶ高さを安定させ、前上方に飛ばすことのできる三角形状の斜辺と垂辺と底辺からなる載置架台で構成したことで、遊具で遊ぶ人達の指の感覚、跳ね飛ばす高さ距離を知ることで、的を置く位置を決め多く入れる本数を競う面白さのある新規な遊具である。
【図面の簡単な説明】
【０００６】
【図１】「ウエイトを示した立体図である。」
【図２】「三角形状発射片を示した立体図である。」
【図３】「三角形状斜辺と垂辺と底辺からなる載置架台を示した立体図である。」
【図４】「ウエイト発射遊具の的を兼ねる収納容器の立体図である。」
【図５】「ウエイト発射遊具を用いた遊ぶ状態を表した立体図である。」
【考案を実施するための形態】
【０００７】ウエイト本体の形状は、飛ぶ時に目的方向に孤を描くよう安定した状態を得るため、例えば、頭部を球体又は円筒状に形成し、さらに頭部から直接棒状竿を突き出させ、ウエイトの重量バランスを竿より頭部を重く構成し、発射片の上辺一端頭部を乗せウエイトの竿を三角形状載置架台の斜辺最下点のすべり止めに置き、発射片の作用側を押さえるとウエイトは、前上方向に孤を描きながら安定した姿で飛び出す。ウエイトが跳ね飛ばされる角度と高さを遊具で遊ぶ人が任意に決め、的である収納容器も遠近を計り置くことで容器に多く入れるウエイト発射の形態玩具。
【実施例】以下、添付図面に従って一実施例を説明する。【０００８】図１は、ウエイトを示す。
▲１▼はウエイトの頭部を示し、▲２▼は頭部より直接突出した棒状安定竿を示す。頭部は、飛ぶ時の安定を保つため棒状竿より重く作っている。
頭部及び棒状安定竿は、飛ぶ時の直進性を保つため外周を細い棒状に形成されている。【０００９】図２は、細長三角形状発射片を示す。
▲３▼は、当発射片二辺の頂点を示し、▲４▼は、当発射片の上辺の一端側に設けたウエイト頭部を乗せる窪んだ箇所を示す。▲５▼は、当発射片の上辺他端側を指で押さえる作用点を示す。発射片の下二辺の長さは、頭部を乗せる側より指で押さえる作用点側の方が長く、押さえるストロークをより大きくして飛ぶ距離が増す効果を出す構成となっている。【００１０】図３は、三角形状の斜辺と垂辺と底辺からなる載置架台を示す。
▲６▼は、当架台の斜辺下端を示し、▲７▼は、斜辺上端部と垂辺の交点部を示す。▲８▼は、架台底辺を示す。【００１１】本考案の一実施例は、上述の構成からなるもので、ウエイトは、発射片により飛ばされると頭部を支点にし孤を描き前上方に飛び、前方に配置の的である円筒状収納容器に向かう。
収納容器の配置の遠近を計り発射片を押さえる指の力を加減することで、ウエイトが飛ぶ距離をコントロールしながら遊べる発射遊具となる。
【産業上の利用の可能性】
【００１２】ウエイト発射遊具を用いて遊ぶには、手指の感覚を使い目で追いながらウエイトを的に入れた時に感情の起伏が起こります。
今日、社会における高齢者の割合が高くなり、そのため各種の収容施設が作られており、このような施設おいてこの遊具を用いたゲームを行えば、安価で且つ容易に高齢者のリハビリに役立って産業上大いに利用が可能と考える。
【符号の説明】
【００１３】▲１▼は、ウエイト頭部を示す。
▲２▼は、ウエイト頭部より直接突出した竿をしめす。
▲３▼は、三角形状発射片の下二辺の頂点を示す。
▲４▼は、三角形状発射片の上二辺一端側に設けた頭部を乗せるための窪みを示す。
▲５▼は、三角形状発射片の上辺他端を指等で押さえる作用点を示す。
▲６▼は、三角形状の斜辺と垂辺と底辺からなる載置架台の斜辺下端部を示す。
▲７▼は、当載置架台の斜辺上端部と垂辺の交点を示す。
▲８▼は、当載置架台の底辺を示す。
▲９▼は、ウエイト発射遊具の的を兼ねた収納容器を示す。
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
ウエイトを梃子の原理を用いて、遠方に飛ばすために細長三角形状発射片を設け、この発射片の上辺一端側にウエイトの頭部を安定して乗せ置き、同発射片三角形の頂点を支点として、もう一端作用点側を指で力を加減して押すとウエイトは前上方に飛び的となる円筒状容器に入れることを目的とするウエイトと同じ程度の長さをもつ細長三角形状発射片。
【請求項２】
請求項１に記載の発射片を載置する為の斜辺と垂辺と底辺の三辺からなる不等辺三角形状の載置架台を設け、この斜辺に前述の同発射片を置き、ウェイトを乗せた他方の作用点側を指で押さえるとウエイトを安定的に前上方へ飛ばす助けをすることができる前述の発射片より幅も長さも大きい三角形状載置架台。
【請求項３】
請求項２に記載の三角形状載置架台に置いた発射片の上辺一端側に飛翔体の頭部を乗せ、これが円弧を描き前上方へ飛ぶように、バランスを考えた球状又は円柱状の重量ある頭部と同頭部と一体化して突き出した棒状の細い竿状のものからなり、棒状竿を三角形状載置台の最下端の止り部分に置き、前述発射片の作用側を指でえる押さえることによって飛ぶアメンボウ状の飛翔体をウェイトと称する。
【請求項４】
請求項２に記せる三角形状載置台に発射片を乗せ置き、ウェイトを乗せて飛ばし前方に的になる容器を置き、これに何本入れることができるかを競う遊具の一部であり、遊具のウェイト、発射片も収納でき容器外周には遊具を使用して遊んでいる絵をラベルにして貼って、表している円筒状容器。
【手続補正書】
【提出日】平成22年8月23日(2010.8.23)
【手続補正１】
【補正対象書類名】実用新案登録請求の範囲
【補正対象項目名】全文
【補正方法】変更
【補正の内容】
【実用新案登録請求の範囲】
【請求項１】
ウエイトを梃子の原理を用いて、遠方に飛ばすために細長三角形状発射片を設け、この発射片の上辺一端側にウエイトの頭部を安定して乗せ置き、同発射片三角形の頂点を支点として、もう一端作用点側を指で力を加減して押すとウエイトは前上方に飛び的となる円筒状容器に入れることを目的とするウエイトと同じ程度の長さをもつ細長三角形状発射片。
【請求項２】
請求項１に記載の発射片を載置する為の斜辺と垂辺と底辺の三辺からなる不等辺三角形状の載置架台を設け、この斜辺に前述の同発射片を置き、ウェイトを乗せた他方の作用点側を指で押さえるとウエイトを安定的に前上方へ飛ばす助けをすることができる前述の発射片より幅も長さも大きい三角形状載置架台。
【請求項３】
請求項２に記載の三角形状載置架台に置いた発射片の上辺一端側に頭部を乗せ、円弧を描き前上方へ飛ぶように、バランスを考えた球状又は円柱状の重量ある頭部と、同頭部と一体化して突き出した棒状の細い竿からなり、前記竿を載置台の最下端の留り部分に置き、発射片の作用側を指でえる押さえることによって飛ぶ飛翔体であるウェイト。
【請求項４】
請求項２に記せる三角形状載置台に発射片を乗せ置き、ウェイトを乗せて飛ばし前方に的になる容器を置き、これに何本入れることができるかを競う遊具の一部であり、遊具のウェイト、発射片も収納でき容器外周には遊具を使用して遊んでいる絵をラベルにして貼って、表している円筒状容器。